【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
ビデオ情報を符号化する方法であって、前記方法は、
第１の空間解像度を有する第１のレイヤと、第２の空間解像度を有する対応する第２のレイヤとに関連付けられたビデオ情報を受信することと、ここで、前記第１の空間解像度は前記第２の空間解像度よりも小さく、前記ビデオ情報は、少なくとも、前記第１のレイヤに関連付けられた動きフィールド情報を含む、
アップサンプリングされた動きフィールド情報を含むレイヤ間参照ピクチャを生成することと、前記アップサンプリングされた動き情報は、前記第１のレイヤのテクスチャピクチャに関連付けられたアップサンプリングされたテクスチャピクチャに関連し、前記レイヤ間参照ピクチャを生成することは、
前記第１のレイヤの前記テクスチャピクチャの一部分がイントラコーディングされるかどうかを決定することと、
（ｉ）前記テクスチャピクチャの前記一部分がイントラコーディングされないとの決定に基づいて、イントラコーディングされない前記第１のレイヤの前記テクスチャピクチャの前記一部分に関連付けられた第１の動きフィールド情報をアップサンプリングすること、ここで、前記レイヤ間参照ピクチャの前記アップサンプリングされた動きフィールド情報は、前記第１のレイヤの前記テクスチャピクチャの前記一部分に関連付けられた前記アップサンプリングされた第１の動きフィールド情報を含む、または（ｉｉ）前記テクスチャピクチャの前記一部分がイントラコーディングされるとの決定に基づいて、イントラコーディングされる前記第１のレイヤの前記テクスチャピクチャの前記一部分のために動きフィールド情報をアップサンプリングすることをしないこと、のうちの１つを実行することと、
を備え、
前記レイヤ間参照ピクチャの前記アップサンプリングされた動きフィールド情報に基づいて前記第２のレイヤの少なくとも一部分を予測することと、
ビットストリーム中で前記第２のレイヤに関連付けられた少なくとも１つのシンタックス要素をシグナリングすることと、
を備える、方法。
【請求項２】
ビデオ情報を復号する方法であって、前記方法は、
符号化ビデオビットストリームから抽出されたシンタックス要素を受信することと、ここで、前記シンタックス要素は、第１の空間解像度を有する第１のレイヤと、第２の空間解像度を有する対応する第２のレイヤとに関連付けられたビデオ情報を備え、前記第１の空間解像度は前記第２の空間解像度よりも小さく、前記ビデオ情報は、少なくとも、前記第１のレイヤに関連付けられた動きフィールド情報を含み、
アップサンプリングされた動きフィールド情報を含むレイヤ間参照ピクチャを参照ピクチャリストに追加することと、前記アップサンプリングされた動き情報は、前記第１のレイヤのテクスチャピクチャに関連付けられたアップサンプリングされたテクスチャピクチャに関連し、ここで、前記レイヤ間参照ピクチャを追加することは、
前記第１のレイヤの前記テクスチャピクチャの一部分がイントラコーディングされるかどうかを決定することと、
（ｉ）前記テクスチャピクチャの前記一部分がイントラコーディングされないとの決定に基づいて、イントラコーディングされない前記第１のレイヤの前記テクスチャピクチャの前記一部分に関連付けられた第１の動きフィールド情報をアップサンプリングすること、ここで、前記レイヤ間参照ピクチャの前記アップサンプリングされた動きフィールド情報は、前記第１のレイヤの前記テクスチャピクチャの前記一部分に関連付けられた前記アップサンプリングされた第１の動きフィールド情報を含む、または（ｉｉ）前記テクスチャピクチャの前記一部分がイントラコーディングされるとの決定に基づいて、イントラコーディングされる前記第１のレイヤの前記テクスチャピクチャの前記一部分のために動きフィールド情報をアップサンプリングすることをしないこと、のうちの１つを実行することと、
を備え、
前記レイヤ間参照ピクチャの前記アップサンプリングされた動きフィールド情報に基づいて前記第２のレイヤの少なくとも一部分を予測することと、
を備える、方法。
【請求項３】
前記レイヤ間参照ピクチャは、前記第２のレイヤの前記一部分を予測するために使用されるべき時間動きベクトルを決定するために使用されるコロケートピクチャとして使用される、請求項１または請求項２に記載の方法。
【請求項４】
前記動きフィールドアップサンプリングは、前記第１のレイヤ中の各４×４ブロックについて別個に実行される、請求項１または請求項２に記載の方法。
【請求項５】
前記第２のレイヤ中の各Ｎ×Ｎブロックについて、中心位置は、前記第１のレイヤ中のＮ×Ｎブロックに対応する一意の位置にマッピングされ、前記第２のレイヤ中の前記Ｎ×Ｎブロックの動きフィールド情報は、前記第１のレイヤ中の前記Ｎ×Ｎブロックに関連付けられた前記アップサンプリングされた動きフィールド情報から導出され、Ｎは少なくとも１６であり得、前記第２のレイヤ中の各Ｎ×Ｎブロックは、前記レイヤ間参照ピクチャ中の特定のコロケートＮ×Ｎブロックを有し、前記特定のＮ×Ｎブロックは、前記動きフィールド情報が前記特定のＮ×Ｎブロックのためにそこからアップサンプリングされる、前記第１のレイヤ中のコロケートブロックを有する、請求項１または請求項２に記載の方法。
【請求項６】
前記第１のレイヤの前記動きフィールド情報は、前記テクスチャピクチャ中の各１６×１６ブロックが同じ動きベクトルに関連付けられるようにＨＥＶＣ動き圧縮に基づいてすでに圧縮されている、請求項１または請求項２に記載の方法。
【請求項７】
前記動きフィールド情報の前記アップサンプリングは、ＨＥＶＣコーディングツリーと、ＨＥＶＣコーディングユニットと、ＨＥＶＣ予測ユニットと、モードと、イントラモードと、インターモードと、イントラ予測モードとのうちの少なくとも１つを前記アップサンプリングされたテクスチャピクチャに関連付けることを備える、請求項１または請求項２に記載の方法。
【請求項８】
前記動きフィールド情報をアップサンプリングすることに関連して、各々が前記参照ピクチャリスト中の参照ピクチャを示す参照インデックスに関連付けられた、最高２つの動きベクトルを導出することをさらに備える、請求項１または請求項２に記載の方法。
【請求項９】
前記第１のレイヤの前記アップサンプリングされたテクスチャピクチャ中のすべてのブロックのためにインター予測モードが割り当てられる、請求項１または請求項２に記載の方法。
【請求項１０】
前記第１のレイヤのすべてのＮ×Ｎブロックは、前記第１の空間解像度に対する前記第２の空間解像度の比に等しい比でアップサンプリングされる、請求項１または請求項２に記載の方法。
【請求項１１】
前記第１のレイヤ中の前記特定のブロックの前記コロケートブロックがイントラブロックである場合、前記レイヤ間参照ピクチャ中の特定のブロックは、利用可能な動きフィールド情報を有しない、請求項５に記載の方法。
【請求項１２】
前記第１のレイヤ中の前記特定のブロックの前記コロケートブロックが、イントラコーディングされる前記第１のレイヤ中のブロックに属する少なくとも１つのピクセルを有する場合、前記レイヤ間参照ピクチャ中の特定のブロックは、利用可能な動きフィールド情報を有しない、請求項５に記載の方法。
【請求項１３】
実行されたとき、装置に、請求項１−１２のうちのいずれか一項にしたがった方法を実行させるコードを備える非一時的コンピュータ可読媒体。
【請求項１４】
ビデオ情報をコーディングするように構成された装置であって、
第１の空間解像度を有する第１のレイヤと、第２の空間解像度を有する対応する第２のレイヤとに関連付けられたビデオ情報を記憶するように構成されたメモリユニットと、ここで、前記第１の空間解像度は前記第２の空間解像度よりも小さく、前記ビデオ情報は、少なくとも、前記第１のレイヤに関連付けられた動きフィールド情報を含み、
前記メモリユニットと通信しているプロセッサと、
を備え、前記プロセッサは、
アップサンプリングされた動きフィールド情報を含むレイヤ間参照ピクチャを参照ピクチャリストに追加することと、前記アップサンプリングされた動き情報は、前記第１のレイヤのテクスチャピクチャに関連付けられたアップサンプリングされたテクスチャピクチャに関連し、前記プロセッサは、
前記第１のレイヤの前記テクスチャピクチャの一部分がイントラコーディングされるかどうかを決定することと、
（ｉ）前記テクスチャピクチャの前記一部分がイントラコーディングされないとの決定に基づいて、イントラコーディングされない前記第１のレイヤの前記テクスチャピクチャの前記一部分に関連付けられた第１の動きフィールド情報をアップサンプリングすること、ここで、前記レイヤ間参照ピクチャの前記アップサンプリングされた動きフィールド情報は、前記第１のレイヤの前記テクスチャピクチャの前記一部分に関連付けられた前記アップサンプリングされた第１の動きフィールド情報を含む、または（ｉｉ）前記テクスチャピクチャの前記一部分がイントラコーディングされるとの決定に基づいて、イントラコーディングされる前記第１のレイヤの前記テクスチャピクチャの前記一部分のために動きフィールド情報をアップサンプリングすることをしないこと、のうちの１つを実行することと、
によって、前記レイヤ間参照ピクチャを追加するように構成され、
前記レイヤ間参照ピクチャの前記アップサンプリングされた動きフィールド情報に基づいて前記第２のレイヤの少なくとも一部分を予測することと、
を行うように構成された、装置。
【請求項１５】
前記レイヤ間参照ピクチャは、前記第２のレイヤの前記一部分を予測するために使用されるべき時間動きベクトルを決定するために使用されるコロケートピクチャとして使用される、請求項１４に記載の装置。